(57)【要約】【課題】色の相互間におけるイメージの変化の方向性を容易に把握することができる色表示装置、色表示物、プログラム、およびコンピュータ読み取り可能な記憶媒体を提供する。【解決手段】色表示装置１は、記憶手段３と表示手段４９を有し、記憶手段は３、イメージの方向性と、イメージの方向性に対応する色の座標データと、を記憶するとともに、表示手段４９は、座標軸のうち一の座標軸を、第１のイメージの方向性を示す座標軸とし、他の座標軸を、第２のイメージの方向性を示す座標軸として表示し、黒色を、座標軸の中心となる原点に表示し、赤色を、一の座標軸における軸上の一方側に表示し、緑色を、一の座標軸における軸上の他方側に表示し、黄色を、他の座標軸における軸上の一方側に表示し、青色を、他の座標軸における軸上の他方側に表示する。【選択図】図１
2020095126.tif 000002
【特許請求の範囲】
【請求項１】
色の有するイメージの方向性を座標軸にとり、前記色を前記イメージの方向性に対応させて座標上に表示する色表示装置であって、
記憶手段と表示手段を有するとともに、前記イメージの方向性は、第１のイメージの方向性と第２のイメージの方向性を含み、更に前記座標上に表示する色として第１の色を含み、前記第１の色は、赤色、緑色、黄色、および青色を含み、
前記記憶手段は、前記イメージの方向性と、前記色の座標データと、を記憶するとともに、
前記表示手段は、前記座標軸のうち一の座標軸を、前記第１のイメージの方向性を示す座標軸とし、他の座標軸を、前記第２のイメージの方向性を示す座標軸として表示し、
更に、前記表示手段は、前記座標軸における軸上に前記赤色、前記緑色、前記黄色、および前記青色を表示することを特徴とする色表示装置。
【請求項２】
色の有するイメージの方向性を座標軸にとり、前記色を前記イメージの方向性に対応させて座標上に表示する色表示装置であって、
記憶手段と表示手段を有するとともに、前記イメージの方向性は、第１のイメージの方向性と第２のイメージの方向性を含み、更に前記座標上に表示する色として第１の色を含み、前記第１の色は、黒色、赤色、緑色、黄色、および青色を含み、
前記記憶手段は、前記イメージの方向性と、前記色の座標データと、を記憶するとともに、
前記表示手段は、前記座標軸のうち一の座標軸を、前記第１のイメージの方向性を示す座標軸とし、他の座標軸を、前記第２のイメージの方向性を示す座標軸として表示し、
更に、前記表示手段は、
前記黒色を、前記座標軸の中心となる前記原点に表示し、
前記赤色を、前記一の座標軸における軸上の一方側に表示し、
前記緑色を、前記一の座標軸における軸上の他方側に表示し、
前記黄色を、前記他の座標軸における軸上の一方側に表示し、
前記青色を、前記他の座標軸における軸上の他方側に表示することを特徴とする色表示装置。
【請求項３】
前記第１の色は、白色を含むとともに、
前記表示手段は、前記赤色、前記黄色、前記緑色、前記青色の位置から外側に離間した位置に前記白色を表示することを特徴とする請求項１または請求項２に記載の色表示装置。
【請求項４】
前記第１の色は、白色を含むとともに、
前記赤色、前記黄色、前記緑色、前記青色の位置から外側に離間した前記座標軸上の位置をそれぞれ通るように線分を生成する線分生成手段を有し、
前記表示手段は、前記白色を、前記線分生成手段により生成された線分上に表示することを特徴とする請求項１または請求項２に記載の色表示装置。
【請求項５】
第２の色の座標データを前記第１の色の座標データに基づいて演算する第２の色座標データ演算手段を有するとともに、
前記表示手段は、前記第２の色座標データ演算手段により演算された座標データに対応する位置に前記第２の色を表示することを特徴とする請求項１乃至請求項４のうちいずれか一項に記載の色表示装置。
【請求項６】
第２の色をオレンジ色、黄緑色、紫色、臙脂色、カーキ色、茶色、紺色、および灰色とするとともに、前記第２の色の座標データを演算する第２の色座標データ演算手段を有し、
前記第２の色座標データ演算手段は、
前記オレンジ色の座標データを、前記赤色の座標データと前記黄色の座標データに基づいて演算し、
前記黄緑色の座標データを、前記黄色の座標データと前記緑色の座標データに基づいて演算し、
前記紫色の座標データを、前記青色の座標データと前記赤色の座標データに基づいて演算し、
前記臙脂色の座標データを、前記黒色の座標データと前記赤色の座標データに基づいて演算し、
前記カーキ色の座標データを、前記黄色の座標データと前記黒色の座標データに基づいて演算し、
前記茶色の座標データを、前記臙脂色の座標データと前記カーキ色の座標データに基づいて演算し、
前記紺色の座標データを、前記黒色の座標データと前記青色の座標データに基づいて演算し、
前記灰色の座標データを、前記臙脂色の座標データ、前記カーキ色の座標データ、前記茶色の座標データ、前記紺色の座標データのそれぞれと前記黒色の座標データに基づいて演算し、
前記表示手段は、前記第２の色座標データ演算手段により演算された座標データに対応する位置にそれぞれ前記オレンジ色、前記黄緑色、前記紫色、前記臙脂色、前記カーキ色、前記茶色、前記紺色、前記灰色を前記第２の色として表示することを特徴とする請求項１乃至請求項４のうちいずれか一項に記載の色表示装置。
【請求項７】
前記第２の色を更に、ベージュ色、水色、薄紫色、およびピンク色とするとともに、
前記第２の色座標データ演算手段は、
前記ベージュ色の座標データを、前記オレンジ色の座標データと前記白色の座標データに基づいて演算し、
前記水色の座標データを、前記青色の座標データと前記白色の座標データに基づいて演算し、
前記薄紫色の座標データを、前記紫色の座標データと前記白色の座標データに基づいて演算し、
前記ピンク色の座標データを、前記赤色の座標データと前記紫色の座標データと前記白色の座標データに基づいて演算し、
前記表示手段は、前記第２の色座標データ演算手段により演算された座標データに対応する位置にそれぞれ前記ベージュ色、前記水色、前記薄紫色、前記ピンク色を前記第２の色として表示することを特徴とする請求項６に記載の色表示装置。
【請求項８】
前記記憶手段は、前記第１の色および／または前記第２の色の具体的色イメージを記憶するとともに、
前記記憶手段から前記具体的色イメージを読み出して設定する第１の具体的色イメージ設定手段を有し、
前記表示手段は、前記第１の具体的色イメージ設定手段により設定された具体的色イメージを前記第１の色および／または前記第２の色に対応させて表示することを特徴とする請求項５乃至請求項７のうちいずれか一項に記載の色表示装置。
【請求項９】
前記記憶手段は、第３の色と、前記第３の色に対応する座標データを記憶するとともに、
位置指定手段、指定位置座標データ演算手段、第１の座標データ位置差演算手段、第１の座標データ抽出手段、および指定位置色設定手段を有し、
前記位置指定手段は、前記座標上の任意の位置を指定し、
前記指定位置座標データ演算手段は、前記位置指定手段により指定された任意の位置における座標データを演算し、
前記第１の座標データ位置差演算手段は、前記指定位置座標データ演算手段により演算された座標データと前記第３の色に対応する座標データの位置差を演算し、
前記第１の座標データ抽出手段は、前記第１の座標データ位置差演算手段により演算された位置差に基づいて前記指定された任意の位置における座標データに最も近い位置の前記第３の色に対応する座標データを抽出し、
前記指定位置色設定手段は、前記第１の座標データ抽出手段により抽出された座標データに対応する前記第３の色を前記指定された任意の位置における色として設定し、
前記表示手段は、前記設定された第３の色を前記位置指定手段により指定された任意の位置における色として表示することを特徴とする請求項１乃至請求項８のうちいずれか一項に記載の色表示装置。
【請求項１０】
前記記憶手段は、前記第１の色および／または前記第２の色の具体的色イメージを記憶するとともに、
第２の座標データ位置差演算手段、第２の座標データ抽出手段、および第２の具体的色イメージ設定手段を有し、
前記第２の座標データ位置差演算手段は、前記指定位置座標データ演算手段により演算された前記指定された任意の位置における座標データと前記第１の色および／または前記第２の色の座標データの位置差を演算し、
前記第２の座標データ抽出手段は、前記第２の座標データ位置差演算手段により演算された位置差に基づいて前記指定された任意の位置における座標データに最も近い位置の前記第１の色および／または前記第２の色に対応する座標データを抽出し、
前記第２の具体的色イメージ設定手段は、前記第２の座標データ抽出手段により抽出された座標データに対応する前記第１の色および／または前記第２の色の具体的色イメージを前記記憶手段から読み出して設定し、
前記表示手段は、前記第２の具体的色イメージ設定手段により設定された具体的色イメージを前記指定された任意の位置における色と対応させて表示することを特徴とする請求項９に記載の色表示装置。
【請求項１１】
前記記憶手段は、前記第１の色および／または前記第２の色の具体的色イメージを記憶するとともに、
第２の座標データ位置差演算手段、第２の座標データ抽出手段、および第２の具体的色イメージ設定手段を有し、
前記第２の座標データ位置差演算手段は、前記指定位置座標データ演算手段により演算された前記指定された任意の位置における座標データと前記第１の色および／または前記第２の色の座標データの位置差を演算し、
前記第２の座標データ抽出手段は、前記第２の座標データ位置差演算手段により演算された位置差に基づいて前記指定された任意の位置における座標データに相対的に近い位置の前記第１の色および／または前記第２の色に対応する座標データを複数抽出し、
前記第２の具体的色イメージ設定手段は、前記第２の座標データ抽出手段により抽出された複数の座標データのそれぞれに対応する前記第１の色および／または前記第２の色の具体的色イメージを前記記憶手段から読み出して複数設定し、
前記表示手段は、前記第２の具体的色イメージ設定手段により複数設定された具体的色イメージを前記指定された任意の位置における色と対応させて表示することを特徴とする請求項９に記載の色表示装置。
【請求項１２】
前記指定された任意の位置における色に対し前記複数設定された具体的色イメージのそれぞれの影響度を、前記第２の座標データ抽出手段により複数抽出された座標データに対応する位置差に基づいて演算する影響度演算手段を有し、
前記表示手段は、前記影響度演算手段により演算された影響度を前記第２の具体的色イメージ設定手段により複数設定された具体的色イメージにそれぞれ対応させて表示することを特徴とする請求項１１に記載の色表示装置。
【請求項１３】
前記表示手段は、前記第１のイメージの方向性を示す一の座標軸を、興奮乃至安定を表す座標軸として、原点を挟んで前記一の座標軸の一方側に、前記興奮を表し、前記座標軸の他方側に、前記安定を表し、
前記第２のイメージの方向性を示す他の座標軸を、動乃至静を表す座標軸として、原点を挟んで前記他の座標軸の一方側に、前記動を表し、前記座標軸の他方側に、前記静を表し、
前記赤色を、前記興奮を表す色として前記一の座標軸上の一方側に表示し、
前記緑色を、前記安定を表す色として前記一の座標軸上の他方側に表示し、
前記黄色を、前記動を表す色として前記他の座標軸上の一方側に表示し、
前記青色を、前記静を表す色として前記他の座標軸上の他方側に表示することを特徴とする請求項１乃至請求項１２のうちいずれか一項に記載の色表示装置。
【請求項１４】
請求項１乃至請求項１３のうちいずれか一項に記載の色表示装置により生成されることを特徴とする色表示物。
【請求項１５】
色の有するイメージの方向性を座標軸にとり、前記色を前記イメージの方向性に対応させて座標上に表示する色表示物であって、
前記イメージの方向性は、第１のイメージの方向性と第２のイメージの方向性を含み、更に前記座標上に表示する色として第１の色を含み、前記第１の色は、赤色、緑色、黄色、および青色を含み、
前記座標軸のうち一の座標軸を、前記第１のイメージの方向性を示す座標軸とし、他の座標軸を、前記第２のイメージの方向性を示す座標軸として表示し、
更に、前記座標軸における軸上に前記赤色、前記緑色、前記黄色、および前記青色を表示することを特徴とする色表示物。
【請求項１６】
色の有するイメージの方向性を座標軸にとり、前記色を前記イメージの方向性に対応させて座標上に表示する色表示物であって、
前記イメージの方向性は、第１のイメージの方向性と第２のイメージの方向性を含み、更に前記座標上に表示する色として第１の色を含み、前記第１の色は、黒色、赤色、緑色、黄色、および青色を含み、
前記座標軸のうち一の座標軸を、前記第１のイメージの方向性を示す座標軸とし、他の座標軸を、前記第２のイメージの方向性を示す座標軸として表示し、
更に、
前記黒色を、前記座標軸の中心となる前記原点に表示し、
前記赤色を、前記一の座標軸における軸上の一方側に表示し、
前記緑色を、前記一の座標軸における軸上の他方側に表示し、
前記黄色を、前記他の座標軸における軸上の一方側に表示し、
前記青色を、前記他の座標軸における軸上の他方側に表示することを特徴とする色表示物。
【請求項１７】
前記第１の色は、白色を含むとともに、
前記赤色、前記黄色、前記緑色、前記青色の位置から外側に離間した位置に前記白色を表示することを特徴とする請求項１５または請求項１６に記載の色表示物。
【請求項１８】
前記第１の色は、白色を含むとともに、
前記赤色、前記黄色、前記緑色、前記青色の位置から外側に離間した前記座標軸上の位置をそれぞれ通るように線分を表示し、前記白色を、線分上に表示することを特徴とする請求項１５または請求項１６に記載の色表示物。
【請求項１９】
第２の色をオレンジ色、黄緑色、紫色、臙脂色、カーキ色、茶色、紺色、および灰色とするとともに、
前記オレンジ色を、前記赤色の座標データと前記黄色の座標データ対応する位置に表示し、
前記黄緑色を、前記黄色の座標データと前記緑色の座標データに対応する位置に表示し、
前記紫色を、前記青色の座標データと前記赤色の座標データに対応する位置に表示し、
前記臙脂色を、前記黒色の座標データと前記赤色の座標データに対応する位置に表示し、
前記カーキ色を、前記黄色の座標データと前記黒色の座標データに対応する位置に表示し、
前記茶色を、前記臙脂色の座標データと前記カーキ色の座標データに対応する位置に表示し、
前記紺色を、前記黒色の座標データと前記青色の座標データに対応する位置に表示し、
前記灰色を、前記臙脂色の座標データ、前記カーキ色の座標データ、前記茶色の座標データ、前記紺色の座標データのそれぞれと前記黒色の座標データに対応する位置に表示することを特徴とする請求項１５乃至請求項１８のうちいずれか一項に記載の色表示物。
【請求項２０】
前記第２の色を更に、ベージュ色、水色、薄紫色、およびピンク色とするとともに、
前記ベージュ色を、前記オレンジ色の座標データと前記白色の座標データに対応する位置に表示し、
前記水色を、前記青色の座標データと前記白色の座標データに対応する位置に表示し、
前記薄紫色を、前記紫色の座標データと前記白色の座標データに対応する位置に表示し、
前記ピンク色を、前記赤色の座標データと前記紫色の座標データと前記白色の座標データに対応する位置に表示することを特徴とする請求項１９に記載の色表示物。
【請求項２１】
前記具体的色イメージを前記第１の色および／または前記第２の色に対応させて表示することを特徴とする請求項１９または請求項２０に記載の色表示物。
【請求項２２】
前記第１のイメージの方向性を示す一の座標軸を、興奮乃至安定を表す座標軸として、原点を挟んで前記一の座標軸の一方側に、前記興奮を表し、前記座標軸の他方側に、前記安定を表し、
前記第２のイメージの方向性を示す他の座標軸を、動乃至静を表す座標軸として、原点を挟んで前記他の座標軸の一方側に、前記動を表し、前記座標軸の他方側に、前記静を表し、
前記赤色を、前記興奮を表す色として前記一の座標軸上の一方側に表示し、
前記緑色を、前記安定を表す色として前記一の座標軸上の他方側に表示し、
前記黄色を、前記動を表す色として前記他の座標軸上の一方側に表示し、
前記青色を、前記静を表す色として前記他の座標軸上の他方側に表示することを特徴とする請求項１５乃至請求項２１のうちいずれか一項に記載の色表示物。
【請求項２３】
色の有するイメージの方向性を座標軸にとり、前記色を前記イメージの方向性に対応させて座標上に表示する色表示装置におけるコンピュータを、
記憶手段と表示手段として機能させるとともに、前記イメージの方向性は、第１のイメージの方向性と第２のイメージの方向性を含み、更に前記座標上に表示する色として第１の色を含み、前記第１の色は、赤色、緑色、黄色、および青色を含み、
前記記憶手段を、前記イメージの方向性と、前記色の座標データと、を記憶するように機能させ、
前記表示手段を、前記座標軸のうち一の座標軸を、前記第１のイメージの方向性を示す座標軸とし、他の座標軸を、前記第２のイメージの方向性を示す座標軸として表示するように機能させ、
更に、前記表示手段を、前記座標軸における軸上に前記赤色、前記緑色、前記黄色、および前記青色を表示するように機能させることを特徴とするプログラム。
【請求項２４】
色の有するイメージの方向性を座標軸にとり、前記色を前記イメージの方向性に対応させて座標上に表示する色表示装置におけるコンピュータを、
記憶手段と表示手段として機能させるとともに、前記イメージの方向性は、第１のイメージの方向性と第２のイメージの方向性を含み、更に前記座標上に表示する色として第１の色を含み、前記第１の色は、黒色、赤色、緑色、黄色、および青色を含み、
前記記憶手段を、前記イメージの方向性と、前記色の座標データと、を記憶するように機能させ、
前記表示手段を、前記座標軸のうち一の座標軸を、前記第１のイメージの方向性を示す座標軸とし、他の座標軸を、前記第２のイメージの方向性を示す座標軸として表示するように機能させ、
更に、前記表示手段を、
前記黒色を、前記座標軸の中心となる前記原点に表示し、
前記赤色を、前記一の座標軸における軸上の一方側に表示し、
前記緑色を、前記一の座標軸における軸上の他方側に表示し、
前記黄色を、前記他の座標軸における軸上の一方側に表示し、
前記青色を、前記他の座標軸における軸上の他方側に表示するように機能させることを特徴とするプログラム。
【請求項２５】
請求項２３または請求項２４に記載のプログラムを記憶することを特徴とするコンピュータ読み取り可能な記憶媒体。
【発明の詳細な説明】
【技術分野】
【０００１】
本発明は、色表示装置、色表示物、プログラム、コンピュータ読み取り可能な記憶媒体に関し、特に色の有するイメージの方向性を座標軸にとり、色をイメージの方向性と対応させて座標上に表示する色表示装置、プログラム、コンピュータ読み取り可能な記憶媒体に関する。
【背景技術】
【０００２】
従来から色を表示する色表示装置が知られており、このような色表示装置においては、色相環を利用するものがある。例えば、マンセルの色相環は、「赤色」、「黄色」、「緑色」、「青色」、「紫色」を基本として、色を環状に順次変化させながら配列させており、同系色、類似色、補色、反対色等の色の相互間の関係性も踏まえつつ、様々な色計画に利用される。
【０００３】
このような色相環を利用した色表示装置は、例えば、特許文献１に開示された技術が参照される。
【先行技術文献】
【特許文献】
【０００４】
【特許文献１】特開２００１−１４２４４７号
【発明の概要】
【発明が解決しようとする課題】
【０００５】
ところで、色計画においては、一層の色効果を生み出すために、またオリジナリティーのある色計画を行うために、利用者は、色の相互間におけるイメージの変化の方向性を把握しながら色計画を緻密に行いたい場合がある。
【０００６】
しかしながら、上述した色相環を利用した色計画においては、色が環状に順次変化しながら配列されており、色の相互間における変化の方向性は容易に把握することができるものの、色のイメージが一定の法則性をもって配列されているわけではなく、色の相互間におけるイメージの変化の方向性を把握することはできなかった。
【０００７】
本発明はこのような事情に鑑みてなされたものであり、色の相互間におけるイメージの変化の方向性を容易に把握することができる色表示装置、色表示物、プログラム、およびコンピュータ読み取り可能な記憶媒体を提供することを目的とする。
【課題を解決するための手段】
【０００８】
上記目的を達成するために、色表示装置に係る請求項１の発明は、色の有するイメージの方向性を座標軸にとり、前記色を前記イメージの方向性に対応させて座標上に表示する色表示装置であって、記憶手段と表示手段を有するとともに、前記イメージの方向性は、第１のイメージの方向性と第２のイメージの方向性を含み、更に前記座標上に表示する色として第１の色を含み、前記第１の色は、赤色、緑色、黄色、および青色を含み、前記記憶手段は、前記イメージの方向性と、前記色の座標データと、を記憶するとともに、前記表示手段は、前記座標軸のうち一の座標軸を、前記第１のイメージの方向性を示す座標軸とし、他の座標軸を、前記第２のイメージの方向性を示す座標軸として表示し、更に、前記表示手段は、前記座標軸における軸上に前記赤色、前記緑色、前記黄色、および前記青色を表示することを特徴とする。
【０００９】
本発明によれば、記憶手段と表示手段を有するとともに、前記イメージの方向性は、第１のイメージの方向性と第２のイメージの方向性を含み、更に前記座標上に表示する色として第１の色を含み、前記第１の色は、赤色、緑色、黄色、および青色を含み、前記記憶手段は、前記イメージの方向性と、前記イメージの方向性に対応する前記色の座標データと、を記憶するとともに、前記表示手段は、前記座標軸のうち一の座標軸を、前記第１のイメージの方向性を示す座標軸とし、他の座標軸を、前記第２のイメージの方向性を示す座標軸として表示し、更に、前記表示手段は、前記座標軸における軸上に前記赤色、前記緑色、前記黄色、および前記青色を表示することとしたので、赤色、緑色、黄色、および青色が第１および第２のイメージの方向性を示す座標軸における軸上に表示され、これら色の相互間におけるイメージの変化の方向性を容易に把握することができる。
【００１０】
上記目的を達成するために、色表示装置に係る請求項２の発明は、色の有するイメージの方向性を座標軸にとり、前記色を前記イメージの方向性に対応させて座標上に表示する色表示装置であって、記憶手段と表示手段を有するとともに、前記イメージの方向性は、第１のイメージの方向性と第２のイメージの方向性を含み、更に前記座標上に表示する色として第１の色を含み、前記第１の色は、黒色、赤色、緑色、黄色、および青色を含み、前記記憶手段は、前記イメージの方向性と、前記イメージの方向性に対応する前記色の座標データと、を記憶するとともに、前記表示手段は、前記座標軸のうち一の座標軸を、前記第１のイメージの方向性を示す座標軸とし、他の座標軸を、前記第２のイメージの方向性を示す座標軸として表示し、更に、前記表示手段は、前記黒色を、前記座標軸の中心となる前記原点に表示し、前記赤色を、前記一の座標軸における軸上の一方側に表示し、前記緑色を、前記一の座標軸における軸上の他方側に表示し、前記黄色を、前記他の座標軸における軸上の一方側に表示し、前記青色を、前記他の座標軸における軸上の他方側に表示することを特徴とする。
【００１１】
本発明によれば、記憶手段と表示手段を有するとともに、前記イメージの方向性は、第１のイメージの方向性と第２のイメージの方向性を含み、更に前記座標上に表示する色として第１の色を含み、前記第１の色は、黒色、赤色、緑色、黄色、および青色を含み、前記記憶手段は、前記イメージの方向性と、前記イメージの方向性に対応する前記色の座標データと、を記憶するとともに、前記表示手段は、前記座標軸のうち一の座標軸を、前記第１のイメージの方向性を示す座標軸とし、他の座標軸を、前記第２のイメージの方向性を示す座標軸として表示し、更に、前記表示手段は、前記黒色を、前記座標軸の中心となる前記原点に表示し、前記赤色を、前記一の座標軸における軸上の一方側に表示し、前記緑色を、前記一の座標軸における軸上の他方側に表示し、前記黄色を、前記他の座標軸における軸上の一方側に表示し、前記青色を、前記他の座標軸における軸上の他方側に表示することとしたので、黒色、赤色、緑色、黄色、および青色が第１および第２のイメージの方向性を示す座標軸における軸上に表示され、これら色の相互間におけるイメージの変化の方向性を容易に把握することができる。なお、第１の色である黒色、赤色、緑色、黄色、青色は、様々な色を生み出すことができる基本色となるものである。
【００１２】
前記第１の色は、白色を含むとともに、前記表示手段は、前記赤色、前記黄色、前記緑色、前記青色の位置から外側に離間した前記座標軸上の位置に前記白色を表示することができる（請求項３）。
【００１３】
より詳しくは、前記第１の色は、白色を含むとともに、前記赤色、前記黄色、前記緑色、前記青色の位置から外側に離間した前記座標軸上の位置をそれぞれ通るように線分を生成する線分生成手段を有し、前記表示手段は、前記白色を、前記線分生成手段により生成された線分上に表示することができる。なお、第１の色である白色は、様々な色を生み出すことができる基本色となるものである（請求項４）。
【００１４】
第２の色の座標データを前記第１の色の座標データに基づいて演算する第２の色座標データ演算手段を有するとともに、前記表示手段は、前記第２の色座標データ演算手段により演算された座標データに対応する位置に前記第２の色を表示することができる（請求項５）。
【００１５】
すなわち、第２の色をオレンジ色、黄緑色、紫色、臙脂色、カーキ色、茶色、紺色、および灰色とするとともに、前記第２の色の座標データを演算する第２の色座標データ演算手段を有し、前記第２の色座標データ演算手段は、前記オレンジ色の座標データを、前記赤色の座標データと前記黄色の座標データに基づいて演算し、前記黄緑色の座標データを、前記黄色の座標データと前記緑色の座標データに基づいて演算し、前記紫色の座標データを、前記青色の座標データと前記赤色の座標データに基づいて演算し、前記臙脂色の座標データを、前記黒色の座標データと前記赤色の座標データに基づいて演算し、前記カーキ色の座標データを、前記黄色の座標データと前記黒色の座標データに基づいて演算し、前記茶色の座標データを、前記臙脂色の座標データと前記カーキ色の座標データに基づいて演算し、前記紺色の座標データを、前記黒色の座標データと前記青色の座標データに基づいて演算し、前記灰色の座標データを、前記臙脂色の座標データ、前記カーキ色の座標データ、前記茶色の座標データ、前記紺色の座標データのそれぞれと前記黒色の座標データに基づいて演算し、前記表示手段は、前記第２の色座標データ演算手段により演算された座標データに対応する位置にそれぞれ前記オレンジ色、前記黄緑色、前記紫色、前記臙脂色、前記カーキ色、前記茶色、前記紺色、前記灰色を前記第２の色として表示することとすれば、色の相互間におけるイメージの変化の方向性を更に一層容易に把握することができる。
【００１６】
また、黒色、赤色、緑色、黄色、青色に基づいてオレンジ色、黄緑色、紫色、臙脂色、カーキ色、茶色、紺色、灰色を座標上の適切な位置に自動的に表示させることができ、基本色となる黒色、赤色、緑色、黄色、青色の座標データを変更することにより、その変更した座標データの位置に自動的に対応させてオレンジ色、黄緑色、紫色、臙脂色、カーキ色、茶色、紺色、灰色を表示させることができる。なお、オレンジ色は、赤色と黄色を融合して得られる色であり、黄緑色は、黄色と緑色を融合して得られる色であり、紫色は、青色と赤色を融合して得られる色であり、臙脂色は、黒色と赤色を融合して得られる色であり、カーキ色は、黒色と黄色を融合して得られる色であり、茶色は、臙脂色とカーキ色を融合して得られ、紺色を黒色と青色を融合して得られる色であり、灰色は、臙脂色、カーキ色、茶色、乃至紺色と黒色を融合して得られる色である（請求項６）。
【００１７】
前記第２の色を更に、ベージュ色、水色、薄紫色、およびピンク色とするとともに、前記第２の色座標データ演算手段は、前記ベージュ色の座標データを、前記オレンジ色の座標データと前記白色の座標データに基づいて演算し、前記水色の座標データを、前記青色の座標データと前記白色の座標データに基づいて演算し、前記薄紫色の座標データを、前記紫色の座標データと前記白色の座標データに基づいて演算し、前記ピンク色の座標データを、前記赤色の座標データと前記紫色の座標データと前記白色の座標データに基づいて演算し、前記表示手段は、前記第２の色座標データ演算手段により演算された座標データに対応する位置にそれぞれ前記ベージュ色、前記水色、前記薄紫色、前記ピンク色を前記第２の色として表示することとすれば、色の相互間におけるイメージの変化の方向性をより一層容易に把握することができる。また、白色、赤色と黄色を融合して得られるオレンジ色、青色、青色と赤色を融合して得られる紫色、赤色に基づいてベージュ色、水色、薄紫色、ピンク色を座標上の適切な位置に自動的に表示させることができ、基本色となる白色、赤色、黄色、青色の座標データを変更することにより、その変更した座標データの位置に自動的に対応させてベージュ色、水色、薄紫色、ピンク色を表示させることができる。なお、ベージュ色は、オレンジ色と白色を融合して得られる色であり、水色は、青色と白色を融合して得られる色であり、薄紫色は、紫色と白色を融合して得られる色であり、ピンク色は、赤色と紫色と白色を融合して得られる色である（請求項７）。
【００１８】
ここで、本発明における第１の色である黒色、赤色、緑色、黄色、青色、および白色、第２の色であるオレンジ色、黄緑色、紫色、臙脂色、カーキ色、茶色、紺色、灰色、ベージュ色、水色、薄紫色、およびピンク色の１８色は、カラーコーディネート、カラーイメージ戦略において基本色となるものである。
【００１９】
前記記憶手段は、前記第１の色および／または前記第２の色の具体的色イメージを記憶するとともに、前記記憶手段から前記具体的色イメージを読み出して設定する第１の具体的色イメージ設定手段を有し、前記表示手段は、前記第１の具体的色イメージ設定手段により設定された具体的色イメージを前記第１の色および／または前記第２の色に対応させて表示することとすれば、色の相互間におけるイメージの変化の方向性を具体的色イメージに基づいて詳細に把握することができる（請求項８）。
【００２０】
前記記憶手段は、第３の色と、前記第３の色に対応する座標データを記憶するとともに、位置指定手段、指定位置座標データ演算手段、第１の座標データ位置差演算手段、第１の色座標データ抽出手段、および指定位置色設定手段を有し、前記位置指定手段は、前記座標上の任意の位置を指定し、前記指定位置座標データ演算手段は、前記位置指定手段により指定された任意の位置における座標データを演算し、前記第１の座標データ位置差演算手段は、前記指定位置座標データ演算手段により演算された座標データと前記第３の色に対応する座標データの位置差を演算し、前記第１の色座標データ抽出手段は、前記第１の座標データ位置差演算手段により演算された位置差に基づいて前記指定された任意の位置における座標データに最も近い位置の前記第３の色に対応する座標データを抽出し、前記指定位置色設定手段は、前記第１の色座標データ抽出手段により抽出された座標データに対応する前記第３の色を前記指定された任意の位置における色として設定し、前記表示手段は、前記設定された第３の色を前記位置指定手段により指定された任意の位置における色として表示することとすれば、任意の位置における色を容易に表示することができるとともに、前記色の有するイメージも容易に把握することができる（請求項９）。
【００２１】
前記記憶手段は、前記第１の色および／または前記第２の色の具体的色イメージを記憶するとともに、第２の座標データ位置差演算手段、第２の座標データ抽出手段、および第２の具体的色イメージ設定手段を有し、前記第２の座標データ位置差演算手段は、前記指定位置座標データ演算手段により演算された前記指定された任意の位置における座標データと前記第１の色および／または前記第２の色の座標データの位置差を演算し、前記第２の座標データ抽出手段は、前記第２の座標データ位置差演算手段により演算された位置差に基づいて前記指定された任意の位置における座標データに最も近い位置の前記第１の色および／または前記第２の色に対応する座標データを抽出し、前記第２の具体的色イメージ設定手段は、前記第２の座標データ抽出手段により抽出された座標データに対応する前記第１の色および／または前記第２の色の具体的色イメージを前記記憶手段から読み出して設定し、前記表示手段は、前記第２の具体的色イメージ設定手段により設定された具体的色イメージを前記指定された任意の位置における色と対応させて表示することとすれば、指定された任意の位置における色の具体的色イメージを、カラーコーディネート、カラーイメージ戦略において基本色となる第１の色、第２の色の具体的色イメージを用いて容易に把握することが可能となる（請求項１０）。
【００２２】
前記記憶手段は、前記第１の色および／または前記第２の色の具体的色イメージを記憶するとともに、第２の座標データ位置差演算手段、第２の座標データ抽出手段、および第２の具体的色イメージ設定手段を有し、前記第２の座標データ位置差演算手段は、前記指定位置座標データ演算手段により演算された前記指定された任意の位置における座標データと前記第１の色および／または前記第２の色の座標データの位置差を演算し、前記第２の座標データ抽出手段は、前記第２の座標データ位置差演算手段により演算された位置差に基づいて前記指定された任意の位置における座標データに相対的に近い位置の前記第１の色および／または前記第２の色に対応する座標データを複数抽出し、前記第２の具体的色イメージ設定手段は、前記第２の座標データ抽出手段により抽出された複数の座標データのそれぞれに対応する前記第１の色および／または前記第２の色の具体的色イメージを前記記憶手段から読み出して複数設定し、前記表示手段は、前記第２の具体的色イメージ設定手段により複数設定された具体的色イメージを前記指定された任意の位置における色と対応させて表示することとすれば、指定された任意の位置における色の具体的色イメージを、カラーコーディネート、カラーイメージ戦略において基本色となる第１の色、第２の色の具体的色イメージを用いて更に容易に把握することが可能となる（請求項１１）。
【００２３】
前記指定された任意の位置における色に対し前記複数設定された具体的色イメージのそれぞれの影響度を、前記第２の座標データ抽出手段により複数抽出された座標データに対応する位置差に基づいて演算する影響度演算手段を有し、前記表示手段は、前記影響度演算手段により演算された影響度を前記第２の具体的色イメージ設定手段により複数設定された具体的色イメージにそれぞれ対応させて表示することとすれば、指定された任意の位置における色の具体的色イメージを、第１の色、第２の色の具体的色イメージを用いて更に一層容易に把握することが可能となる（請求項１２）。
【００２４】
前記表示手段は、前記第１のイメージの方向性を示す一の座標軸を、興奮乃至安定を表す座標軸として、原点を挟んで前記一の座標軸の一方側に、前記興奮を表し、前記座標軸の他方側に、前記安定を表し、前記第２のイメージの方向性を示す他の座標軸を、動乃至静を表す座標軸として、原点を挟んで前記他の座標軸の一方側に、前記動を表し、前記座標軸の他方側に、前記静を表し、前記赤色を、前記興奮を表す色として前記一の座標軸上の一方側に表示し、前記緑色を、前記安定を表す色として前記一の座標軸上の他方側に表示し、前記黄色を、前記動を表す色として前記他の座標軸上の一方側に表示し、前記青色を、前記静を表す色として前記他の座標軸上の他方側に表示することとすれば、色の相互間におけるイメージの変化の方向性を明確に把握することができる（請求項１３）。
【００２５】
上記目的を達成するために、色表示物に係る請求項１４の発明は、請求項１乃至請求項１３のうちいずれか一項に記載の色表示装置により生成されることを特徴とする。
【００２６】
上記目的を達成するために、色表示物に係る請求項１５の発明は、色の有するイメージの方向性を座標軸にとり、前記色を前記イメージの方向性に対応させて座標上に表示する色表示物であって、前記イメージの方向性は、第１のイメージの方向性と第２のイメージの方向性を含み、更に前記座標上に表示する色として第１の色を含み、前記第１の色は、赤色、緑色、黄色、および青色を含み、前記座標軸のうち一の座標軸を、前記第１のイメージの方向性を示す座標軸とし、他の座標軸を、前記第２のイメージの方向性を示す座標軸として表示し、更に、前記座標軸における軸上に前記赤色、前記緑色、前記黄色、および前記青色を表示することを特徴とする。
【００２７】
本発明によれば、赤色、緑色、黄色、および青色が第１および第２のイメージの方向性を示す座標軸における軸上に表示され、色の相互間におけるイメージの変化の方向性を容易に把握することができる。
【００２８】
上記目的を達成するために、色表示物に係る請求項１６の発明は、色の有するイメージの方向性を座標軸にとり、前記色を前記イメージの方向性に対応させて座標上に表示する色表示物であって、前記イメージの方向性は、第１のイメージの方向性と第２のイメージの方向性を含み、更に前記座標上に表示する色として第１の色を含み、前記第１の色は、黒色、赤色、緑色、黄色、および青色を含み、前記座標軸のうち一の座標軸を、前記第１のイメージの方向性を示す座標軸とし、他の座標軸を、前記第２のイメージの方向性を示す座標軸として表示し、更に、前記黒色を、前記座標軸の中心となる前記原点に表示し、前記赤色を、前記一の座標軸における軸上の一方側に表示し、前記緑色を、前記一の座標軸における軸上の他方側に表示し、前記黄色を、前記他の座標軸における軸上の一方側に表示し、前記青色を、前記他の座標軸における軸上の他方側に表示することを特徴とする。
【００２９】
本発明によれば、黒色、赤色、緑色、黄色、および青色が第１および第２のイメージの方向性を示す座標軸における軸上に表示され、色の相互間におけるイメージの変化の方向性を容易に把握することができる。
【００３０】
前記第１の色は、白色を含むとともに、前記赤色、前記黄色、前記緑色、前記青色の位置から外側に離間した位置に前記白色を表示することができる（請求項１７）。
より詳しくは、前記第１の色は、白色を含むとともに、前記赤色、前記黄色、前記緑色、前記青色の位置から外側に離間した前記座標軸上の位置をそれぞれ通るように線分を表示し、前記白色を、線分上に表示することができる（請求項１８）。
【００３１】
第２の色をオレンジ色、黄緑色、紫色、臙脂色、カーキ色、茶色、紺色、および灰色とするとともに、前記オレンジ色を、前記赤色の座標データと前記黄色の座標データに対応する位置に表示し、前記黄緑色を、前記黄色の座標データと前記緑色の座標データに対応する位置に表示し、前記紫色を、前記青色の座標データと前記赤色の座標データに対応する位置に表示し、前記臙脂色を、前記黒色の座標データと前記赤色の座標データに対応する位置に表示し、前記カーキ色を、前記黄色の座標データと前記黒色の座標データに対応する位置に表示し、前記茶色を、前記臙脂色の座標データと前記カーキ色の座標データに対応する位置に表示し、前記紺色を、前記黒色の座標データと前記青色の座標データに対応する位置に表示し、前記灰色を、前記臙脂色の座標データ、前記カーキ色の座標データ、前記茶色の座標データ、前記紺色の座標データのそれぞれと前記黒色の座標データに対応する位置に表示することとすれば、色の相互間におけるイメージの変化の方向性を更に一層容易に把握することができる（請求項１９）。
【００３２】
前記第２の色を更に、ベージュ色、水色、薄紫色、およびピンク色とするとともに、前記ベージュ色を、前記オレンジ色の座標データと前記白色の座標データに対応する位置に表示し、前記水色を、前記青色の座標データと前記白色の座標データに対応する位置に表示し、前記薄紫色を、前記紫色の座標データと前記白色の座標データに対応する位置に表示し、前記ピンク色を、前記赤色の座標データと前記紫色の座標データと前記白色の座標データに対応する位置に表示することとすれば、色の相互間におけるイメージの変化の方向性をより一層容易に把握することができる（請求項２０）。
【００３３】
前記具体的色イメージを前記第１の色および／または前記第２の色に対応させて表示することとすれば、色の相互間におけるイメージの変化の方向性を具体的色イメージに基づいて詳細に把握することができる（請求項２１）。
【００３４】
前記第１のイメージの方向性を示す一の座標軸を、興奮乃至安定を表す座標軸として、原点を挟んで前記一の座標軸の一方側に、前記興奮を表し、前記座標軸の他方側に、前記安定を表し、前記第２のイメージの方向性を示す他の座標軸を、動乃至静を表す座標軸として、原点を挟んで前記他の座標軸の一方側に、前記動を表し、前記座標軸の他方側に、前記静を表し、前記赤色を、前記興奮を表す色として前記一の座標軸上の一方側に表示し、前記緑色を、前記安定を表す色として前記一の座標軸上の他方側に表示し、前記黄色を、前記動を表す色として前記他の座標軸上の一方側に表示し、前記青色を、前記静を表す色として前記他の座標軸上の他方側に表示することができる（請求項２２）。
【００３５】
上記目的を達成するために、プログラムに係る請求項２３の発明は、色の有するイメージの方向性を座標軸にとり、前記色を前記イメージの方向性に対応させて座標上に表示する色表示装置におけるコンピュータを、記憶手段と表示手段として機能させるとともに、前記イメージの方向性は、第１のイメージの方向性と第２のイメージの方向性を含み、更に前記座標上に表示する色として第１の色を含み、前記第１の色は、赤色、緑色、黄色、および青色を含み、前記記憶手段を、前記イメージの方向性と、前記色の座標データと、を記憶するように機能させ、前記表示手段を、前記座標軸のうち一の座標軸を、前記第１のイメージの方向性を示す座標軸とし、他の座標軸を、前記第２のイメージの方向性を示す座標軸として表示するように機能させ、更に、前記表示手段を、前記座標軸における軸上に前記赤色、前記緑色、前記黄色、および前記青色を表示するように機能させることを特徴とする。
【００３６】
上記目的を達成するために、プログラムに係る請求項２４の発明は、色の有するイメージの方向性を座標軸にとり、前記色を前記イメージの方向性に対応させて座標上に表示する色表示装置におけるコンピュータを、記憶手段と表示手段として機能させるとともに、前記イメージの方向性は、第１のイメージの方向性と第２のイメージの方向性を含み、更に前記座標上に表示する色として第１の色を含み、前記第１の色は、黒色、赤色、緑色、黄色、および青色を含み、前記記憶手段を、前記イメージの方向性と、前記色の座標データと、を記憶するように機能させ、前記表示手段を、前記座標軸のうち一の座標軸を、前記第１のイメージの方向性を示す座標軸とし、他の座標軸を、前記第２のイメージの方向性を示す座標軸として表示するように機能させ、更に、前記表示手段を、前記黒色を、前記座標軸の中心となる前記原点に表示し、前記赤色を、前記一の座標軸における軸上の一方側に表示し、前記緑色を、前記一の座標軸における軸上の他方側に表示し、前記黄色を、前記他の座標軸における軸上の一方側に表示し、前記青色を、前記他の座標軸における軸上の他方側に表示するように機能させることを特徴とする。
【００３７】
上記目的を達成するために、コンピュータ読み取り可能な記憶媒体に係る請求項２５の発明は、請求項２３または請求項２４に記載のプログラムを記憶することを特徴とする。
【００３８】
本発明によれば、色の相互間におけるイメージの変化の方向性を容易に把握することができる。
【発明の効果】
【００３９】
本発明によれば、色の相互間におけるイメージの変化の方向性を容易に把握することができる。
【図面の簡単な説明】
【００４０】
【図１】本発明の第１実施形態における色表示装置の全体構成を示すブロック図である。
【図２】同色表示装置における記憶手段に記憶されたデータを示す図である。
【図３】同色表示装置における表示手段により表示されたデータを示す図である。
【図４】同色表示装置における表示手段により表示されたデータを示す図３に続く図である。
【図５】同色表示装置における表示方法を説明するためのフローチャートである。
【図６】本発明の第２実施形態における色表示装置の全体構成を示すブロック図である。
【図７】同色表示装置における記憶手段に記憶されたデータを示す図である。
【図８】同色表示装置における表示方法を説明するためのフローチャートである。
【図９】同色表示装置における表示手段により表示されたデータを示す図である。
【図１０】同色表示装置における表示手段により表示されたデータを示す図９に続く図である。
【発明を実施するための形態】
【００４１】
以下、本発明の実施形態について図面を参照して詳細に説明する。
[第１実施形態]
図１は、本発明の第１実施形態を示す色表示装置１の全体構成を示すブロック図である。図１に示す色表示装置１は、色の有するイメージの方向性を座標軸にとり、色をイメージの方向性に対応させて座標上に表示することができる。
【００４２】
本実施形態にあっては、座標軸は、２次元座標軸とする。また、イメージの方向性は、第１のイメージの方向性と第２のイメージの方向性を含み、更に座標上に表示する色として第１の色および第２の色を含む。第１の色は、無彩色としての黒色、白色、有彩色としての赤色、緑色、黄色、および青色を含む。第２の色は、有彩色としてのオレンジ色、黄緑色、紫色、臙脂色、カーキ色、茶色、紺色、灰色、ベージュ色、水色、薄紫色、ピンク色を含む。第１の色は、様々な色を生み出すことができる基本色となるものである。第１の色および第２の色をなす１８色は、カラーコーディネート、カラーイメージ戦略において基本色となるものである。
【００４３】
色表示装置１は、コンピュータとしての一般的な構成を備えており、キーボード、マウス等を有する入力装置２、メモリ、ハードディスク等を有する記憶装置（以下、記憶装置は、記憶手段とする場合がある）３、ＣＰＵ、ＤＳＰ、ＭＰＵ、ＧＰＵ等を有する演算装置４、ディスプレー等を有する表示装置５からなる。記憶手段３は、コンピュータ読み取り可能な記憶媒体として機能する。
【００４４】
記憶手段３は、図２に示すように、第１の色３１ａ、第２の色３１ｂ、第１の色３１ａ，３１ｂの有するイメージの方向性３２、イメージの方向性３２に対応する第１の色３１ａの座標データ３３ａ、第１の色３１ａの具体的色イメージ３４ａ、および第２の色３１ｂの具体的色イメージ３４ｂを記憶する。なお、具体的色イメージ３４ａ，３４ｂには、例えば、第１の色３１ａおよび第２の色３１ｂの有する具体的な色のイメージとして固有感情等が含まれる。
【００４５】
ここで、記憶手段３は、第１の色３１ａとして、上記した黒色、白色、赤色、緑色、黄色、および青色を記憶し、第２の色３１ｂとして、上記したオレンジ色、黄緑色、紫色、臙脂色、カーキ色、茶色、紺色、灰色、ベージュ色、水色、薄紫色、およびピンク色を記憶する。
【００４６】
また、記憶手段３は、イメージの方向性３２として、上記した第１のイメージの方向性と第２のイメージの方向性を記憶し、第１のイメージの方向性を「興奮」、「安定」とし、第２のイメージの方向性を「動」、「静」として記憶する。
【００４７】
更に、記憶手段３は、黒色の座標データとして（０，０）、赤色の座標データとして（ａ，０）、緑色の座標データとして（−ａ，０）、黄色の座標データとして（０，ａ）、青色の座標データとして（０，−ａ）を記憶する。すなわち、赤色、緑色、青色、黄色は、黒色に対し等間隔ａをもって離間した位置に表示される。また、赤色と緑色は、原点を挟んで対称な位置に表示され、黄色と青色も、原点を挟んで対称な位置に表示される。
【００４８】
また、記憶手段３は、第１の色３１ａの黒色の具体的色イメージ３４ａとして「高級」、「都会的」、「神秘的」、「格調高い」、「フォーマル」、「スタイリッシュ」、「厳粛」、「シンプル」の各イメージを記憶し、赤色の具体的色イメージ３４ａとして「派手」、「活力」、「情熱」、「濃い」、「女性的」、「強い」、「目立つ」、「エネルギー」、「歓喜」、「生命」、「愛情」、「革新」、「強い」、「辛味」、「南国」、「暑い」、「熱い」、「炎」、「血」、「注意喚起」の各イメージを記憶し、緑色の具体的色イメージ３４ａとして「安心」、「公正」、「安全」、「寛ぎ」、「調和」、「自然」、「成長」、「平和」、「公平」、「休息」、「リラックス」の各イメージを記憶し、黄色の具体的色イメージ３４ａとして「元気」、「活発」、「子供」、「自由」、「斬新」、「楽しい」、「酸味」、「希望」、「活発」、「明るい」、「活性化」の各イメージを記憶し、青色の具体的色イメージ３４ａとして「知的」、「知性」、「集中」、「鎮静」、「信頼」、「理想」、「爽やか」、「正義感」、「海」、「清涼感」、「気高い」、「国際的」、「男性的」、「清潔」、「寒い」の各イメージを記憶し、白色の具体的色イメージ３４ａとして「万人受け」、「純粋」、「清潔」、「清楚」、「明るい」、「潔白」、「公明」、「誕生」、「可能性」、「リセット」、「スタート」、「広い」、「シンプル」の各イメージを記憶する。
【００４９】
更にまた、記憶手段３は、第２の色３１ｂのオレンジ色の具体的色イメージ３４ｂとして「目立つ」、「楽しい」、「友好的」、「辛い」、「南国」、「暖かい」、「カジュアル」、「親しみやすい」の各イメージを記憶し、黄緑色の具体的色イメージ３４ｂとして、「若々しい」、「自然」、「成長」、「新鮮」、「若々しい」、「スタート」、「可能性」、「休息」、「優しい」、「リラックス」の各イメージを記憶し、紫色の具体的色イメージ３４ｂとして「瞑想」、「女性的」、「高貴」、「優雅」、「芸術的」、「個性的」、「神秘的」、「セクシー」、「エレガント」、「和」、「苦味」、「スピリチュアル」、「ミステリアス」の各イメージを記憶し、臙脂色の具体的色イメージ３４ｂとして「格調」、「コク」、「文化」、「高級」、「気品」、「フォーマル」、「和」、「粋」、「伝統的」、「円熟味」の各イメージを記憶し、カーキ色の具体的色イメージ３４ｂとして「前衛的」、「都会的」の各イメージを記憶し、茶色の具体的色イメージ３４ｂとして「和」、「粋」、「土台」、「安定」、「堅実」、「苦味」、「伝統的」、「円熟味」、「エスニック」、「ナチュラル」、「ぬくもり」、「リラックス」の各イメージを記憶し、紺色の具体的色イメージ３４ｂとして「高貴」、「集中」、「素直」、「冷静」、「信頼」、「真面目」、「正義感」、「和」、「理論的」、「学問的」、「国際的」、「男性的」、「清潔」、「落ち着き」、「しっかりした」の各イメージを記憶し、灰色の具体的色イメージ３４ｂとして「落ち着き」、「粋」、「穏やか」、「シンプル」の各イメージを記憶し、ベージュ色の具体的色イメージ３４ｂとして「ぬくもり」、「脇役」、「優しい」、「和」、「調和」、「母性」、「ナチュラル」、「休息」、「リラックス」の各イメージを記憶し、水色の具体的色イメージ３４ｂとして「清潔」、「爽やか」、「男の子」、「若々しい」、「水」、「新鮮」、「清涼感」、「清々しい」の各イメージを記憶し、薄紫色の具体的色イメージ３４ｂとして「女性受け」、「エレガント」、「気品」、「上品」、「色気」、「和」、「洗練された」、「優しい」の各イメージを記憶し、ピンク色の具体的色イメージ３４ｂとして「女性的」、「優しい」、「可愛い」、「甘える」、「甘味」、「母性」、「愛情」、「ロマンティック」の各イメージを記憶する。
【００５０】
演算手段４は、図１に示すように、第１の色設定手段４１、第１の色座標データ設定手段４２、第２の色設定手段４３、方向性設定手段４４、線分生成手段４５、第２の色座標データ演算手段４６、第１の具体的色イメージ設定手段４７、表示手段４９を有している。
【００５１】
第１の色設定手段４１は、記憶手段３に記憶された第１の色３１ａを読み出して設定する。
【００５２】
第１の色座標データ設定手段４２は、記憶手段３に記憶された第１の色３１ａの座標データ３３ａを読み出して設定する。
【００５３】
第２の色設定手段４３は、記憶手段３に記憶された第２の色３１ｂを読み出して設定する。
【００５４】
方向性設定手段４４は、記憶手段３に記憶されたイメージの方向性３２を読み出して設定する。
【００５５】
線分生成手段４５は、所定の線分Ｌを生成する。線分Ｌは、赤色、黄色、緑色、青色のそれぞれと黒色との間隔ａと相関する間隔をもって、より詳しくは前記間隔ａと等間隔をもって、赤色、黄色、緑色、青色の位置から外側に間隔ａ離間した座標軸上の位置をそれぞれ通るように生成される。この線分Ｌには、後述するように、白色が表示され、白色の有する座標データは、線分Ｌに含まれる全ての座標データとなる。
【００５６】
第２の色座標データ演算手段４６は、複数の第１の色３１ａを融合して得られる第２の色３１ｂの座標データ３３ｂを、複数の第１の色３１ａの座標データに基づいて演算する。
【００５７】
より詳しくは、第２の色座標データ演算手段４６は、赤色と黄色を等しく融合して得られるオレンジ色の座標データ、黄色と緑色を等しく融合して得られる黄緑色の座標データ、青色と赤色を等しく融合して得られる紫色の座標データ、黒色と赤色を等しく融合して得られる臙脂色の座標データ、黒色と黄色を等しく融合して得られるカーキ色の座標データ、臙脂色とカーキ色を等しく融合して得られる茶色（臙脂色は、黒色と赤色を等しく融合して得られ、カーキ色は、黒色と黄色を等しく融合して得られる）の座標データ、黒色と青色を等しく融合して得られる紺色の座標データ、臙脂色、カーキ色、茶色、紺色のそれぞれと黒色を等しく融合して得られる灰色の座標データを演算する。
【００５８】
つまり、第２の色座標データ演算手段４６は、オレンジ色の座標データを、赤色の座標データと黄色の座標データに基づいて演算することによりつまり赤色の座標データと黄色の座標データを平均することにより得て、黄緑色の座標データを、黄色の座標データと緑色の座標データに基づいて演算することによりつまり黄色の座標データと緑色の座標データを平均することにより得て、紫色の座標データを、青色の座標データと赤色の座標データに基づいて演算することによりつまり青色の座標データと赤色の座標データを平均することにより得て、臙脂色の座標データを、黒色の座標データと赤色の座標データに基づいて演算することによりつまり黒色の座標データと赤色の座標データを平均することにより得て、カーキ色の座標データを、黄色の座標データと黒色の座標データに基づいて演算することによりつまり黄色の座標データと黒色の座標データを平均することにより得て、茶色の座標データを、臙脂色の座標データとカーキ色の座標データに基づいて演算することによりつまり臙脂色の座標データとカーキ色の座標データを平均することにより得て、紺色の座標データを、黒色の座標データと青色の座標データに基づいて演算することによりつまり黒色の座標データと青色の座標データを平均することにより得て、灰色の座標データを、臙脂色の座標データ、カーキ色の座標データ、茶色の座標データ、紺色の座標データのそれぞれと黒色の座標データに基づいて演算することによりつまり臙脂色の座標データ、カーキ色の座標データ、茶色の座標データ、紺色の座標データのそれぞれと黒色の座標データを平均することにより得る（なお、各灰色は、明度が異なる）。
【００５９】
更に、第２の色座標データ演算手段４６は、オレンジ色と白色を等しく融合して得られるベージュ色の座標データ、青色と白色を等しく融合して得られる水色の座標データ、紫色と白色を等しく融合して得られる薄紫色（紫色は、青色と赤色を等しく融合して得られる）の座標データ、赤色と紫色と白色を等しく融合して得られるピンク色の座標データを演算する。
【００６０】
つまり、第２の色座標データ演算手段４６は、ベージュ色の座標データを、オレンジ色の座標データと白色の座標データに基づいて演算することによりつまりオレンジ色の座標データと白色の座標データを平均することにより得て、水色の座標データを、青色の座標データと白色の座標データに基づいて演算することによりつまり青色の座標データと白色の座標データを平均することにより得て、薄紫色の座標データを、紫色の座標データと白色の座標データに基づいて演算することによりつまり紫色の座標データと白色の座標データを平均することにより得て、ピンク色の座標データを、赤色の座標データと紫色の座標データと白色の座標データに基づいて演算することによりつまり赤色の座標データと紫色の座標データと白色の座標データを平均することにより得る（なお、演算に用いられる白色の座標データは、線分Ｌに含まれる座標データのうち融合する色の位置に最も近い位置の座標データが採用される）。
【００６１】
第１の具体的色イメージ設定手段４７は、記憶手段３に記憶された第１の色３１ａの具体的色イメージ３４ａおよび第２の色３１ｂの具体的色イメージ３４ｂを読み出して設定する。
【００６２】
表示手段４９は、第１の色設定手段４１により設定された第１の色３１ａ、第１の色座標データ設定手段４２により設定された第１の色３１ａの座標データ３３ａ、方向性設定手段４４により設定されたイメージの方向性３２、線分生成手段４５により設定された線分Ｌに基づいて、図３に示すように表示装置５に所要の表示をさせる。
【００６３】
すなわち、表示手段４９は、座標軸のうち一の座標軸つまりｘ軸を、第１のイメージの方向性を示す座標軸とし、他の座標軸つまりｙ軸を、第２のイメージの方向性を示す座標軸として表示させる。
【００６４】
更に、表示手段４９は、黒色を、座標軸の中心となる原点に表示し、赤色を、一の座標軸（ｘ軸）における軸上の一方側つまり正側に表示させ、緑色を、一の座標軸（ｘ軸）における軸上の他方側つまり負側に表示させる。また、表示手段４９は、黄色を、他の座標軸（ｙ軸）における軸上の一方側つまり正側に表示させ、青色を、他の座標軸（ｙ軸）における軸上の他方側つまり負側に表示させる。
【００６５】
そして、表示手段４９は、第１のイメージの方向性を示す一の座標軸（ｘ軸）を、興奮乃至安定を表す座標軸として、原点を挟んで一の座標軸（ｘ軸）の一方側つまり正側に、興奮を表し、一の座標軸（ｘ軸）の他方側つまり負側に、安定を表し、第２のイメージの方向性を示す他の座標軸（ｙ軸）を、動乃至静を表す座標軸として、原点を挟んで他の座標軸（ｙ軸）の一方側つまり正側に、動を表し、他の座標軸（ｙ軸）の他方側つまり負側に、静を表す。「興奮」と「安定」、「動」と「静」はそれぞれ対極したイメージを有している。
【００６６】
そして、更に、表示手段４９は、赤色を、興奮を表す色として一の座標軸（ｘ軸）上の一方側（正側）に表示し、緑色を、安定を表す色として一の座標軸（ｘ軸）上の他方側（負側）に表示し、黄色を、動を表す色として他の座標軸（ｙ軸）上の一方側（正側）に表示し、青色を、静を表す色として他の座標軸（ｙ軸）上の他方側（負側）に表示させる。
【００６７】
つまり、黒色は具体的色イメージ３４ａとして「高級」等のイメージを有する他、全ての色の中で明度が最も小さくゼロであるため、本発明者は、座標軸の原点に黒色を表示させることとした。
【００６８】
また、赤色は具体的色イメージ３４ａとして、上記の如く「派手」、「情熱」、「活力」、「濃い」、「血」のイメージを有し、本発明者は、一の座標軸（ｘ軸）における「興奮」を表す代表的な色として一の座標軸（ｘ軸）の一方側（正側）に赤色を表示した（本発明者は、「派手なものを見てテンションが上がり興奮する」、「興奮して情熱的になる」、「血は、人間のエネルギーであり、人間が生きる上での躍動感を彷彿とさせるものであるから、興奮が導き出される」等のイメージから興奮を表す代表的な色として赤色を表示させることとした）。
【００６９】
更に、緑色は、具体的色イメージ３４ａとして、上記の如く「安心」、「安全」、「寛ぎ」、「公正」のイメージを有し、本発明者は、一の座標軸（ｘ軸）における「安定」を表す代表的な色として一の座標軸（ｘ軸）の他方側（負側）に緑色を表示した（本発明者は、「安心して気持ちが安定する」、「安全な状況に置かれて環境が安定する」、「寛いで気持ちが落ち着き安定する」、「公正な評価がされ立場が安定する」、「自然に身を置いて気持ちが落ち着き安定する」等のイメージから安定を表す代表的な色として緑色を表示させることとした）。
【００７０】
更にまた、黄色は、具体的色イメージ３４ａとして、上記の如く「活発」、「元気」、「子供」のイメージを有し、本発明者は、他の座標軸（ｙ軸）における「動」を表す代表的な色として他の座標軸（ｙ軸）の一方側（正側）に黄色を表示した（本発明者は、「活発に動き回る」、「子供が元気に動き回る」等のイメージから動を表す代表的な色として黄色を表示させることとした）。
【００７１】
また更に、青色を、具体的色イメージ３４ａとして、「鎮静」、「集中」、「知的」、「知性」のイメージを有し、本発明者は、他の座標軸（ｙ軸）における「静」を表す代表的な色として他の座標軸（ｙ軸）の他方側（負側）に青色を表示した（本発明者は、「静かな環境で集中し、知的活動を行う」等のイメージから静を表す代表的な色として青色を表示させることとした）。
【００７２】
また、表示手段４９は、白色を、線分生成手段４５により生成された線分Ｌ上に表示させる。
【００７３】
すなわち、線分Ｌは、赤色、黄色、緑色、青色のそれぞれと黒色の間隔ａと等間隔をもって、赤色、黄色、緑色、青色の位置から外側に間隔ａ離間した座標軸上の位置をそれぞれ通るように生成され、他の色を取り囲むように座標上の最外側の位置に表示される（つまり、表示手段４９は、赤色、黄色、緑色、青色の位置から外側に離間した座標軸上の位置に白色を表示する）。
【００７４】
この線分Ｌ上に表示される白色は、具体的色イメージ３４ａとして、「万人受け」、「純粋」のイメージを有する他、明度が全ての色の中で最も大きく、座標上の最外側の位置に白色を表示させることとした（原点から最外側にいくにしたがって色の明度が順次大きくなるように設定される）。座標上の最外側の位置に白色を表示させることにより、全ての色やイメージを取り囲んでこれらを受け入れ調和するイメージをもつ。なお、本実施形態にあっては、図３、図４に示すように、白色は座標上の７点に表示することとしているが、白色を線分Ｌ上のあらゆる位置に表示することとしてもよい。すなわち、上記のように、白色の有する座標データは、線分Ｌに含まれる全ての座標データとなる。
【００７５】
ここで、上記した黒色、赤色、黄色、緑色、青色、白色の配置の相関関係は、各色の波長や反射率の相関関係とも関連したものとなっている。すなわち、色の波長や反射率は色の有するイメージと密接な関係があると考えられる。
【００７６】
更に、表示手段４９は、図４に示しように、第２の色座標データ演算手段４６により演算された座標データに対応する位置にそれぞれ第２の色設定手段４３により設定されたオレンジ色、黄緑色、紫色、臙脂色、カーキ色、茶色、紺色、灰色を第２の色３１ｂとして表示させる。
【００７７】
更にまた、表示手段４９は、第２の色座標データ演算手段４６により演算された座標データに対応する位置にそれぞれ第２の色設定手段４３により設定されたベージュ色、水色、薄紫色、ピンク色を第２の色３１ｂとして表示させる。
【００７８】
つまり、赤色と黄色を等しく融合して得られるオレンジ色は、具体的色イメージ３４ｂとして「目立つ」、「楽しい」のイメージを有し、赤色と黄色を融合したイメージを持つ（赤色は、具体的色イメージ３４ａとして「目立つ」のイメージを有し、黄色は、具体的色イメージ３４ａとして「楽しい」のイメージを有する）。
【００７９】
また、黄色と緑色を等しく融合して得られる黄緑色は、具体的色イメージ３４ｂとして「若々しい（子供は若々しい）」、「自然」のイメージを有し、黄色と緑色を融合したイメージを持つ（黄色は、具体的色イメージ３４ａとして「子供」のイメージを有し、緑色は、具体的色イメージ３４ａとして「自然」のイメージを有する）。
【００８０】
更に、青色と赤色を等しく融合して得られる紫色は、具体的色イメージ３４ｂとして「瞑想（瞑想は集中して行う）」、「女性的」のイメージを有し、青色と赤色を融合したイメージを持つ（青色は、具体的色イメージ３４ａとして「集中」のイメージを有し、赤色は、具体的色イメージ３４ａとして「女性的」のイメージを有する）。
【００８１】
更にまた、黒色と赤色を等しく融合して得られる臙脂色は、具体的色イメージ３４ｂとして「格調」、「コク（濃い）」のイメージを有し、黒色と赤色を融合したイメージを持つ（黒色は、具体的色イメージ３４ａとして「格調が高い」のイメージを有し、赤色は、具体的色イメージ３４ａとして「濃い」のイメージを有する）。
【００８２】
また、黒色と黄色を等しく融合して得られるカーキ色は、具体的色イメージ３４ｂとして「都会的」、「前衛的（時代に先駆けている）」のイメージを有し、黒色と黄色を融合したイメージを持つ（黒色は、具体的色イメージ３４ａとして「都会的」のイメージを有し、黄色は、具体的色イメージ３４ａとして「斬新」すなわち「時代に先駆けている」のイメージを有する）。
【００８３】
また更に、臙脂色とカーキ色を等しく融合して得られる茶色は、具体的色イメージ３４ｂとして「和」、「粋（粋には、「洗練されている」、「あかぬけている」の意味があり、都会的なイメージに通ずる）」のイメージを有し、具体的色イメージ３４ｂも臙脂色とカーキ色を融合したイメージを持つ（臙脂色は、具体的色イメージ３４ｂとして「和」、「粋」のイメージを有し、カーキ色は、具体的色イメージ３４ｂとして「都会的」のイメージを有する）。
【００８４】
更にまた、黒色と青色を等しく融合して得られる紺色は、具体的色イメージ３４ｂとして「集中」、「高貴」のイメージを有し、具体的色イメージ３４ｂも黒色と青色を融合したイメージを持つ（黒色は、具体的色イメージ３４ｂとして「高級」のイメージを有し、青色は、具体的色イメージ３４ｂとして「集中」のイメージを有する）。
【００８５】
更に、黒色と臙脂色、黒色とカーキ色、黒色と茶色、黒色と紺色、を等しく融合して得られる灰色は、具体的色イメージ３４ｂとして「粋」、「落ち着き」のイメージを有し、具体的色イメージ３４ｂも黒色と、臙脂色、カーキ色、茶色乃至紺色とを融合したイメージを持つ（黒色は、具体的色イメージ３４ａとして「都会的」のイメージを有し、臙脂色は、具体的色イメージ３４ａとして「粋」のイメージを有し、カーキ色は、具体的色イメージ３４ｂとして「前衛的」のイメージを有し、茶色は、具体的色イメージ３４ｂとして「粋」のイメージを有し、紺色は、具体的色イメージ３４ｂとして「落ち着き」のイメージを有する）。
【００８６】
また、オレンジ色と白色を等しく融合して得られるベージュ色は、具体的色イメージ３４ｂとして「ぬくもり（暖かい）」のイメージを有し、具体的色イメージ３４ｂもオレンジ色と白色を融合したイメージを持つ（オレンジ色は、具体的色イメージ３４ｂとして「暖かい」のイメージを有し、白色は、全ての色を取り囲んでこれらを受け入れ調和するイメージを有するから、オレンジ色と白色を融合させてもオレンジ色のイメージが尊重されそのまま引き継がれる）。
【００８７】
また、青色と白色を等しく融合して得られる水色は、具体的色イメージ３４ｂとして「清潔」、「爽やか」、「男の子（男性的）」のイメージを有し、具体的色イメージ３４ｂも青色と白色を融合したイメージを持つ（青色は、具体的色イメージ３４ａとして「清潔」、「爽やか」、「男性的」のイメージを有し、白色は上記の如くそのイメージを尊重し引き継ぐ）。
【００８８】
更に、紫色と白色を等しく融合して得られる薄紫色は、具体的色イメージ３４ｂとして「女性受け」、「エレガント」のイメージを有し、具体的色イメージ３４ｂも紫色と白色を融合したイメージを持つ（紫色は、具体的色イメージ３４ｂとして「女性的」とともに、「エレガント」のイメージを有し、白色は上記の如くそのイメージを尊重し引き継ぐ）。
【００８９】
更にまた、赤色と紫色と白色を等しく融合して得られるピンク色は、具体的色イメージ３４ｂとして「女性的」のイメージを有し、具体的色イメージ３４ｂも赤色と紫色と白色を融合したイメージを有する（赤色および紫色は、具体的色イメージ３４ａ，３４ｂとして「女性的」のイメージを有し、白色は上記の如くそのイメージを尊重し引き継ぐ）。
【００９０】
また、表示手段４９は、第１の具体的色イメージ設定手段４７により設定された具体的色イメージ３４ａ，３４ｂを第１の色および第２の色に対応させて表示する。
【００９１】
次に、色表示装置１による処理フローを図５のフローチャートに基づいて詳細に説明する。
【００９２】
すなわち、まずステップＳ１０において、第１の色設定手段４１、第１の色座標データ設定手段４２、第２の色設定手段４３、方向性設定手段４４、第１の具体的色イメージ設定手段４７が、記憶手段３に記憶された第１の色３１ａ、第１の色３１ａの座標データ３３ａ、第２の色３１ｂ、イメージの方向性３２、具体的色イメージ３４ａ，３４ｂを読み出して設定する。
【００９３】
次に、ステップＳ２０において、線分生成手段４５が、線分Ｌを生成する。
続いて、ステップＳ３０において、第２の色座標データ演算手段４６が、ステップＳ１０で設定された第１の色３１ａの座標データ３３ａに基づいて第２の色３１ｂの座標データ３３ｂを演算する。
【００９４】
次いで、ステップＳ４０において、表示手段４９が、ステップＳ１０で設定された第１の色３１ａ、第１の色３１ａの座標データ３３ａ、第２の色３１ｂ、イメージの方向性３２、ステップ３０で演算された第２の色３１ｂの座標データ３３ｂに基づいて、座標上において第１の色３１ａおよび第２の色３１ｂを表示装置５に表示させる。
【００９５】
次に、ステップＳ５０において、表示手段４９が、ステップＳ１０で設定された具体的色イメージ３４ａ，３４ｂを表示装置５に表示させる。
【００９６】
[第２実施形態]
次に、本発明の第２実施形態について説明する。本発明の第２実施形態は、第１実施形態に対し各種の手段を付加した構成を示している。
【００９７】
すなわち、図６に示しように、第２実施形態の色表示装置１´においては、キーボード、マウス等を有する入力装置２´、メモリ、ハードディスク等を有する記憶装置（以下、記憶装置は、記憶手段とする場合がある）３´、ＣＰＵ、ＤＳＰ、ＭＰＵ、ＧＰＵ等を有する演算装置４´、ディスプレー等を有する表示装置５´を有し、記憶装置３´は、図７に示すように、第１の色３１ａ、第２の色３１ｂ、イメージの方向性３２、第１の色の座標データ３３ａ、第１の色３１ａの具体的色イメージ３４ａ、第２の色３１ｂの具体的色イメージ３４ｂに加えて、第３の色３１ｃ、および第３の色３１ｃに対応する座標データ３３ｃを記憶している。記憶手段３´は、コンピュータ読み取り可能な記憶媒体として機能する。
【００９８】
また、演算装置４´は、図６に示すように、第１実施形態の各手段４１乃至４９に加えて、第３の色設定手段５０、第３の色座標データ設定手段５１、位置指定手段５３、指定位置座標データ演算手段５４、第１の座標データ位置差演算手段５５、第１の座標データ抽出手段５６、指定位置色設定手段５７、第２の座標データ位置差演算手段５８、第２の座標データ抽出手段５９、第２の具体的色イメージ設定手段６０、および影響度演算手段６１を有している。
【００９９】
すなわち、第３の色設定手段５０は、記憶手段３´に記憶された第３の色３１ｃを読み出して設定する。
【０１００】
第３の色座標データ設定手段５１は、記憶手段３´に記憶された第３の色３１ｃの座標データ３３ｃを読み出して設定する。
【０１０１】
位置指定手段５３は、入力装置２´を介する等して表示装置５´上において座標上の任意の位置を指定する（入力装置２´はオペレータが操作する）。
【０１０２】
指定位置座標データ演算手段５４は、位置指定手段５３により指定された任意の位置における座標データを演算する。
【０１０３】
第１の座標データ位置差手段５５は、指定位置座標データ演算手段５４により演算された任意の位置における座標データと第３の色３１ｃに対応する座標データ３３ｃとの位置差を演算する。
【０１０４】
第１の座標データ抽出手段５６は、第１の座標データ位置差演算手段５５により演算された位置差に基づいて任意の位置における座標データに最も近い位置の第３の色３１ｃに対応する座標データ３３ｃを抽出する。
【０１０５】
指定位置色設定手段５７は、第３の色座標データ抽出手段５６により抽出された座標データ３３ｃに対応する第３の色３１ｃを指定された任意の位置における色として設定する。
【０１０６】
第２の座標データ位置差演算手段５８は、指定位置座標データ演算手段５４により演算された指定された任意の位置における座標データと第１の色３１ａおよび／または第２の色３１ｂの座標データ３３ａ，３３ｂの位置差を演算する。
【０１０７】
第２の座標データ抽出手段５９は、第２の座標データ位置差演算手段５８により演算された位置差に基づいて指定された任意の位置における座標データに最も近い位置の第１の色３１ａおよび／または第２の色３１ｂに対応する座標データ３３ａ，３３ｂを抽出する。または、第２の座標データ抽出手段５９は、第２の座標データ位置差演算手段５８により演算された位置差に基づいて指定された任意の位置における座標データに相対的に近い位置の第１の色３１ａおよび／または第２の色３１ｂに対応する座標データ３３ａ，３３ｂを複数抽出する。
【０１０８】
第２の具体的色イメージ設定手段６０は、第２の座標データ抽出手段５９により抽出された座標データに対応する第１の色３１ａおよび／または第２の色３１ｂの具体的色イメージ３４ａ，３４ｂを記憶手段３から読み出して設定する。
【０１０９】
影響度演算手段６１は、指定された任意の位置における色に対し第２の具体的色イメージ設定手段６０により具体的色イメージ３４ａ，３４ｂが複数設定された場合、具体的色イメージ３４ａ，３４ｂのそれぞれの影響度を、第２の座標データ抽出手段５９により抽出された座標データに対応する位置差に基づいて演算する。
【０１１０】
より詳しくは、影響度演算手段６１は、複数設定された具体的色イメージＡに対応する位置差をα，具体的色イメージＢに対応する位置差をβとした場合、影響度は以下の数式により演算される。
[数１]
具体的色イメージＡの影響度＝１−α／（α＋β）
[数２]
具体的色イメージＢの影響度＝１−β／（α＋β）
【０１１１】
なお、第２実施形態において、表示手段４９は、第１実施形態における各表示に加えて、指定位置色設定手段５７により設定された第３の色３１ｃを位置指定手段５３により指定された任意の位置における色として表示する。
【０１１２】
また、表示手段４９は、第２の具体的色イメージ設定手段６０により設定された具体的色イメージ３４ａ，３４ｂを指定された任意の位置における色と対応させて表示する。更に、表示手段４９は、影響度演算手段６１により演算された影響度を第２の具体的色イメージ設定手段６０により設定された具体的色イメージに対応させて表示する。
【０１１３】
次に、本第２実施形態における色表示装置１´による処理フローを図８のフローチャートに基づいて詳細に説明する。
【０１１４】
すなわち、第１実施形態におけるステップＳ５０から続くステップＳ１００において、第３の色設定手段５０、第３の色座標データ設定手段５１が、第３の色３１ｃ、第３の色３１ｃの座標データ３３ｃを記憶手段３から読み出して設定する。
【０１１５】
次に、ステップＳ１１０において、位置指定手段５３が、座標上の任意の位置を指定する。この位置指定手段５３による位置の指定は、図９に示すように、入力装置２´を介する等して表示装置５´に矢印７０を表示させながら行うことができる。この矢印７０の位置は、例えば緑色と青色の中間位置とすることができる。
【０１１６】
続いて、ステップＳ１２０において、指定位置座標データ演算手段５４が、ステップＳ１１０で指定された任意の位置における座標データを演算する。
次いで、ステップＳ１３０において、座標データ位置差演算手段５５が、ステップＳ１２０で演算された任意の位置における座標データとステップＳ１００で設定された第３の色３１ｃに対応する座標データ３３ｃの位置差を演算する。
【０１１７】
そして、ステップＳ１４０において、第３の色座標データ抽出手段５６が、ステップＳ１３０で演算された位置差に基づいて任意の位置における座標データに最も近い位置の第３の色３１ｃに対応する座標データ３３ｃを抽出する。
【０１１８】
次に、ステップＳ１５０において、指定位置色設定手段５７が、ステップＳ１４０で抽出された座標データ３３ｃに対応する第３の色３１ｃを指定された任意の位置における色として設定する。
【０１１９】
続いて、ステップＳ１６０において、第２の座標データ位置差演算手段５８が、ステップ１２０で演算された指定された任意の位置における座標データと第１の色３１ａおよび／または第２の色３１ｂの座標データ３３ａ，３３ｂの位置差を演算する。
【０１２０】
次いで、ステップＳ１７０において、第２の座標データ抽出手段５９が、ステップ１６０で演算された位置差に基づいて指定された任意の位置における座標データに最も近い位置の第１の色３１ａおよび／または第２の色３１ｂに対応する座標データ３３ａ，３３ｂを抽出する。または、第２の座標データ抽出手段５９が、ステップ１６０で演算された位置差に基づいて指定された任意の位置における座標データに相対的に近い位置の第１の色３１ａおよび／または第２の色３１ｂに対応する座標データ３３ａ，３３ｂを複数抽出する。
【０１２１】
そして、ステップＳ１８０において、第２の具体的色イメージ設定手段６０が、ステップＳ１７０で抽出された座標データに対応する第１の色３１ａおよび／または第２の色３１ｂの具体的色イメージ３４ａ，３４ｂを記憶手段３から読み出して設定する。
【０１２２】
続いて、ステップＳ１９０において、影響度演算手段６１が、指定された任意の位置における色に対し第２の具体的色イメージ設定手段６０により具体的色イメージ３４ａ，３４ｂが複数設定された場合、具体的色イメージ３４ａ，３４ｂのそれぞれの影響度を、数１および数２により、第２の座標データ抽出手段５９により抽出された座標データに対応する位置差に基づいて演算する。
【０１２３】
次いで、ステップＳ２００において、表示手段４９が、図１０に示すように、ステップＳ１５０で設定された第３の色３１を位置指定手段５３により指定された任意の位置における色として表示する。この表示は、例えば、緑色と青色の中間位置として青緑色を表示することができる。
【０１２４】
また、表示手段４９は、ステップＳ１８０で設定された具体的色イメージ３４ａ，３４ｂを位置指定手段５３により指定された任意の位置における色（青緑色）の具体的色イメージとして表示する。
【０１２５】
更に、表示手段４９は、ステップ１９０で設定された具体的色イメージ３４ａ，３４ｂの影響度を第２の具体的色イメージ設定手段６０により設定された具体的色イメージに対応させて表示する。
【０１２６】
[色表示物]
上記した第１実施形態、第２実施形態における色表示装置１，１´により色表示物を生成することができる。すなわち、色表示装置１，１´において印刷手段を備え、上記した表示手段４９，４９´による表示を前記印刷手段により紙面等に印刷することにより表示物を生成する。
【０１２７】
この色表示物は、図４、図１０に示すように、色の有するイメージの方向性３２を座標軸にとり、色をイメージの方向性３２に対応させて座標上に表示して得られる。
【０１２８】
つまり、イメージの方向性３２は、第１のイメージの方向性と第２のイメージの方向性を含み、更に座標上に表示する色として第１の色を含み、第１の色は、無彩色としての黒色と、有彩色としての赤色、緑色、黄色、および青色を含み、色表示物は、座標軸のうち一の座標軸（ｘ軸）を、第１のイメージの方向性を示す座標軸とし、他の座標軸（ｙ軸）を、第２のイメージの方向性を示す座標軸として表示し、更に、黒色を、座標軸の中心となる原点に表示し、赤色を、一の座標軸（ｘ軸）における軸上の一方側つまり正側の（ａ，０）の位置に表示し、緑色を、一の座標軸（ｘ軸）における軸上の他方側つまり負側の（−ａ，０）の位置に表示し、黄色を、他の座標軸（ｙ軸）における軸上の一方側つまり正側の（０，ａ）の位置に表示し、青色を、他の座標軸（ｙ軸）における軸上の他方側つまり負側の（０，−ａ）の位置に表示する。
【０１２９】
また、色表示物は、赤色と黄色を等しく融合して得られるオレンジ色を、赤色の座標データと黄色の座標データに対応する位置（赤色の座標データと黄色の座標データを平均した位置）に表示し、黄色と緑色を等しく融合して得られる黄緑色を、黄色の座標データと緑色の座標データに対応する位置（黄色の座標データと緑色の座標データを平均した位置）に表示し、青色と赤色を等しく融合して得られる紫色を、青色の座標データと赤色の座標データに対応する位置（青色の座標データと赤色の座標データを平均した位置）に表示し、黒色と赤色を等しく融合して得られる臙脂色を、黒色の座標データと赤色の座標データに対応する位置（黒色の座標データと赤色の座標データを平均した位置）に表示し、黒色と黄色を等しく融合して得られるカーキ色を、黄色の座標データと黒色の座標データに対応する位置（黄色の座標データと黒色の座標データを平均した位置）に表示し、臙脂色とカーキ色を等しく融合して得られる茶色を、臙脂色の座標データとカーキ色の座標データに対応する位置（臙脂色の座標データとカーキ色の座標データを平均した位置）に表示し、黒色と青色を等しく融合して得られる紺色を、黒色の座標データと青色の座標データに対応する位置（黒色の座標データと青色の座標データを平均した位置）に表示し、臙脂色、カーキ色、茶色、紺色のそれぞれと黒色を等しく融合して得られる灰色を、臙脂色の座標データ、カーキ色の座標データ、茶色の座標データ、紺色の座標データのそれぞれと黒色の座標データに対応する位置（臙脂色の座標データ、カーキ色の座標データ、茶色の座標データ、紺色の座標データのそれぞれと黒色の座標データを平均した位置）に表示する。
【０１３０】
更に、色表示物は、第１の色３１ａに、無彩色としての白色を含むとともに、赤色、黄色、緑色、青色のそれぞれと黒色の間隔ａと相関する間隔をもって、より詳しくは前記間隔ａと等間隔をもって、赤色、黄色、緑色、青色の位置から外側に離間した座標軸上の位置をそれぞれ通るように線分Ｌを表示するとともに、白色を、線分Ｌ上に表示する。
【０１３１】
また、色表示物は、オレンジ色と白色を等しく融合して得られるベージュ色を、オレンジ色の座標データと白色の座標データに対応する位置（オレンジ色の座標データと白色の座標データを平均した位置）に表示し、青色と白色を等しく融合して水色を、青色の座標データと白色の座標データに対応する位置（青色の座標データと白色の座標データを平均した位置）に表示し、紫色と白色を等しく融合して得られる薄紫色を、紫色の座標データと白色の座標データに対応する位置（紫色の座標データと白色の座標データを平均した位置）に表示し、赤色と紫色と白色を等しく融合して得られるピンク色を、赤色の座標データと紫色の座標データと白色の座標データに対応する位置（赤色の座標データと紫色の座標データと白色の座標データを平均した位置）に表示する。
【０１３２】
更に、色表示物は、第１のイメージの方向性を示す一の座標軸（ｘ軸）を、興奮乃至安定を表す座標軸として、原点を挟んで一の座標軸（ｘ軸）の一方側つまり正側に、興奮を表し、座標軸（ｘ軸）の他方側つまり負側に、安定を表し、第２のイメージの方向性を示す他の座標軸（ｙ軸）を、動乃至静を表す座標軸として、原点を挟んで他の座標軸（ｙ軸）の一方側つまり正側に、動を表し、座標軸（ｙ軸）の他方側つまり負側に、静を表し、赤色を、興奮を表す色として一の座標軸（ｘ軸）上の一方側つまり正側に表示し、緑色を、安定を表す色として一の座標軸（ｘ軸）上の他方側つまり負側に表示し、黄色を、動を表す色として他の座標軸（ｙ軸）上の一方側つまり正側に表示し、青色を、静を表す色として他の座標軸（ｙ軸）上の他方側つまり負側に表示する。
また、色表示物は、具体的色イメージ３４ａ，３４ｂを第１の色３１ａおよび／または第２の色３１ｂに対応させて表示する。
【０１３３】
[プログラム]
上記の色表示装置１における各手段は、プログラムを実行することによりその機能を実現することができる。
【０１３４】
すなわち、プログラムは、色表示装置１，１´の記憶装置（コンピュータ読み取り可能な記憶媒体）に記憶されており、色の有するイメージの方向性３２を座標軸にとり、色をイメージの方向性３２に対応させて座標上に表示する色表示装置１，１´のコンピュータを、記憶手段３，３´と表示手段４として機能させるとともに、イメージの方向性３２は、第１のイメージの方向性と第２のイメージの方向性を含み、更に座標上に表示する色として第１の色３１ａを含み、第１の色３１ａは、赤色、緑色、黄色、および青色を含み、記憶手段３，３´を、イメージの方向性３２と、イメージの方向性３２に対応する色の座標データ３３ａと、を記憶するように機能させ、表示手段４９を、座標軸のうち一の座標軸を、第１のイメージの方向性を示す座標軸とし、他の座標軸を、第２のイメージの方向性を示す座標軸として表示するように機能させ、更に、表示手段４９を、座標軸における軸上に赤色、緑色、黄色、および青色を表示するように機能させ、より詳しくは、記憶手段３，３´と表示手段４９として機能させるとともに、イメージの方向性３２は、第１のイメージの方向性と第２のイメージの方向性を含み、更に座標上に表示する色として第１の色３１ａを含み、第１の色３１ａは、黒色と、赤色、緑色、黄色、および青色を含み、記憶手段３，３´を、イメージの方向性３２と、イメージの方向性３２に対応する色の座標データ３３ａと、を記憶するように機能させ、表示手段４９を、座標軸のうち一の座標軸を、第１のイメージの方向性を示す座標軸とし、他の座標軸を、第２のイメージの方向性を示す座標軸として表示するように機能させ、更に、表示手段４９を、黒色を、座標軸の中心となる原点に表示し、赤色を、一の座標軸における軸上の一方側に表示し、緑色を、一の座標軸における軸上の他方側に表示し、黄色を、他の座標軸における軸上の一方側に表示し、青色を、他の座標軸における軸上の他方側に表示するように機能させ、更に詳しくは、上記した記憶手段３，３´、第１の色設定手段４１、第１の色座標データ設定手段４２、第２の色設定手段４３、第３の色設定手段５０，第３の色座標データ設定手段５１、方向性設定手段４４、線分生成手段４５、第２の色座標データ演算手段４６、第１の具体的色イメージ設定手段４７、位置指定手段５３、指定位置座標データ演算手段５４、第１の座標データ位置差演算手段５５、第１の座標データ抽出手段５６、指定位置色設定手段５７、第２の座標データ位置差演算手段５８、第２の座標データ抽出手段５９、第２の具体的色イメージ設定手段６０、影響度演算手段６１、および表示手段４９として機能させることができる。
【０１３５】
なお、プログラムは、ＣＤ−ＲＯＭ、ＤＶＤ、半導体メモリ等のコンピュータ読み取り可能な記憶媒体に格納して提供し、該ＣＤ−ＲＯＭ等から読み出して記憶装置に記憶させることとしてもよい。
【０１３６】
以上説明したように、本発明によれば、表示手段４９は、座標軸のうち一の座標軸（ｘ軸）を、第１のイメージの方向性を示す座標軸とし、他の座標軸（ｙ軸）を、第２のイメージの方向性を示す座標軸として表示し、更に、表示手段４９は、黒色を、座標軸の中心となる原点に表示し、赤色を、一の座標軸（ｘ軸）における軸上の一方側（正側）に表示し、緑色を、一の座標軸（ｘ軸）における軸上の他方側（負側）に表示し、黄色を、他の座標軸（ｙ軸）における軸上の一方側（正側）に表示し、青色を、他の座標軸（ｙ軸）における軸上の他方側（負側）に表示することとしたので、黒色、赤色、緑色、黄色、および青色が第１および第２のイメージの方向性を示す座標軸における軸上に表示され、これら色の相互間におけるイメージの変化の方向性を容易に把握することができる。
【０１３７】
また、第２の色座標データ演算手段４６は、赤色と黄色を等しく融合して得られるオレンジ色の座標データを、赤色の座標データと黄色の座標データに基づいて演算し、黄色と緑色を等しく融合して得られる黄緑色の座標データを、黄色の座標データと緑色の座標データに基づいて演算し、青色と赤色を等しく融合して得られる紫色の座標データを、青色の座標データと赤色の座標データに基づいて演算し、黒色と赤色を等しく融合して得られる臙脂色の座標データを、黒色の座標データと赤色の座標データに基づいて演算し、黒色と黄色を等しく融合して得られるカーキ色の座標データを、黄色の座標データと黒色の座標データに基づいて演算し、臙脂色と前記カーキ色を等しく融合して得られる茶色の座標データを、臙脂色の座標データと前記カーキ色の座標データに基づいて演算し、黒色と青色を等しく融合して得られる紺色の座標データを、黒色の座標データと青色の座標データに基づいて演算し、臙脂色、カーキ色、茶色、紺色のそれぞれと黒色を等しく融合して得られる灰色の座標データを、臙脂色の座標データ、カーキ色の座標データ、茶色の座標データ、紺色の座標データのそれぞれと黒色の座標データに基づいて演算し、表示手段４９は、第２の色座標データ演算手段４６により演算された座標データ３３ｂに対応する位置にそれぞれオレンジ色、黄緑色、紫色、臙脂色、カーキ色、茶色、紺色、灰色を第２の色３１ｂとして表示することとしたので、色の相互間におけるイメージの変化の方向性を更に一層容易に把握することができる。また、黒色、赤色、緑色、黄色、青色に基づいてオレンジ色、黄緑色、紫色、臙脂色、カーキ色、茶色、紺色、灰色を座標上の適切な位置に自動的に表示させることができ、基本となる黒色、赤色、緑色、黄色、青色の座標データを変更することにより、その変更した座標データの位置に自動的に対応させてオレンジ色、黄緑色、紫色、臙脂色、カーキ色、茶色、紺色，灰色を表示させることができる。
【０１３８】
更に、第１の色は、白色を含むとともに、赤色、黄色、緑色、青色と黒色の間隔ａと相関する間隔をもってより詳しくは前記間隔ａと等間隔をもって、赤色、黄色、緑色、青色の位置から外側に離間した座標軸上の位置をそれぞれ通るように線分Ｌを生成する線分生成手段４５を有し、表示手段４９は、白色を、線分生成手段４５により生成された線分Ｌ上に表示することとしたので、黒色、赤色、緑色、黄色、青色に基づいて白色を座標上の適切な位置に自動的に表示させることができ、例えば、黒色、赤色、緑色、黄色、青色の座標データを変更した場合にあっても、その変更した座標データの位置に自動的に対応させて白色を表示させることができる。
【０１３９】
また、第２の色座標データ演算手段４６は、オレンジ色と白色を等しく融合して得られるベージュ色の座標データを、オレンジ色の座標データと白色の座標データに基づいて演算し、青色と白色を等しく融合して得られる水色の座標データを、青色の座標データと白色の座標データに基づいて演算し、紫色と白色を等しく融合して得られる薄紫色の座標データを、紫色の座標データと白色の座標データに基づいて演算し、赤色と紫色と白色を等しく融合して得られるピンク色の座標データを、赤色の座標データと紫色の座標データと白色の座標データに基づいて演算し、表示手段４９は、第２の色座標データ演算手段４６により演算された座標データ３３ｂに対応する位置にそれぞれベージュ色、水色、薄紫色、ピンク色を第２の色３１ｂとして表示することとしたので、色の相互間におけるイメージの変化の方向性をより一層容易に把握することができる。また、白色、赤色と黄色を融合して得られるオレンジ色、青色、青色と赤色を融合して得られる紫色、赤色に基づいてベージュ色、水色、薄紫色、ピンク色を座標上の適切な位置に自動的に表示させることができ、基本となる白色、赤色、黄色、青色の座標データを変更することにより、その変更した座標データの位置に自動的に対応させてベージュ色、水色、薄紫色、ピンク色を表示させることができる。
【０１４０】
なお、本実施形態により表示される黒色、白色、赤色、緑色、黄色、青色、オレンジ色、黄緑色、紫色、臙脂色、カーキ色、茶色、紺色、灰色、ベージュ色、水色、薄紫色、ピンク色は、本発明者の経験により、ファッション分野、ブランディング分野、インテリア分野において特に使用頻度の多い色であり、色表示装置１，１´により常時表示する色として採用されている。
【０１４１】
また、表示手段４９は、第１のイメージの方向性を示す一の座標軸を、興奮乃至安定を表す座標軸として、原点を挟んで前記一の座標軸の一方側に、興奮を表し、座標軸の他方側に、安定を表し、第２のイメージの方向性を示す他の座標軸を、動乃至静を表す座標軸として、原点を挟んで他の座標軸の一方側に、動を表し、座標軸の他方側に、静を表し、赤色を、興奮を表す色として一の座標軸上の一方側に表示し、緑色を、安定を表す色として一の座標軸上の他方側に表示し、黄色を、動を表す色として他の座標軸上の一方側に表示し、青色を、静を表す色として他の座標軸上の他方側に表示することとしたので、色の相互間におけるイメージの変化の方向性を明確に把握することができる。
【０１４２】
また、表示手段４９は、第１の具体的色イメージ設定手段４７により設定された具体的色イメージ３４ａ，３４ｂを第１の色３１ａおよび／または第２の色３１ｂに対応させて表示することとしたので、色の相互間におけるイメージの変化の方向性を具体的色イメージ３４ａ，３４ｂに基づいて詳細に把握することができる。
【０１４３】
更に、位置指定手段５３は、座標上の任意の位置を指定し、指定位置座標データ演算手段５４は、位置指定手段５３により指定された任意の位置における座標データを演算し、第１の座標データ位置差演算手段５５は、指定位置座標データ演算手段５４により演算された座標データと第３の色３１ｃに対応する座標データ３３ｃの位置差を演算し、第１の座標データ抽出手段５６は、第１の座標データ位置差演算手段５５により演算された位置差に基づいて指定された任意の位置における座標データに最も近い位置の第３の色３１ｃに対応する座標データ３３ｃを抽出し、指定位置色設定手段５７は、第１の座標データ抽出手段５６により抽出された座標データに対応する第３の色３１ｃを指定された任意の位置における色として設定し、表示手段４９は、設定された第３の色３１ｃを位置指定手段５３により指定された任意の位置における色として表示することとしたので、任意の位置における色を容易に表示することができるとともに、前記色の有するイメージも容易に把握することができる。
【０１４４】
また、第２の座標データ位置差演算手段５８は、指定位置座標データ演算手段５４により演算された指定された任意の位置における座標データと第１の色３１ａおよび／または第２の色３１ｂの座標データ３３ａ，３３ｂの位置差を演算し、第２の座標データ抽出手段５９は、第２の座標データ位置差演算手段５８により演算された位置差に基づいて指定された任意の位置における座標データに最も近い位置の第１の色および／または第２の色に対応する座標データを抽出し、または、指定された任意の位置における座標データに相対的に近い位置の第１の色３１ａおよび／または第２の色３１ｂに対応する座標データを複数抽出し、第２の具体的色イメージ設定手段６０は、第２の座標データ抽出手段５９により抽出された座標データに対応する第１の色３１ａおよび／または第２の色３１ｂの具体的色イメージ３４ａ，３４ｂを記憶手段３´から読み出して設定し、表示手段４９は、第２の具体的色イメージ設定手段６０により設定された具体的色イメージを前記指定された任意の位置における色と対応させて表示することとしたので、指定された任意の位置における色の具体的色イメージを、カラーコーディネート、カラーイメージ戦略において基本色となる第１の色３１ａ、第２の色３１ｂの具体的色イメージ３４ａ，３４ｂを用いて容易に把握することが可能となる。
【０１４５】
また、指定された任意の位置における色に対する第２の具体的色イメージ設定手段６０により複数設定された具体的色イメージのそれぞれの影響度を、第２の座標データ位置差演算手段５８により演算された位置差であって第２の座標データ抽出手段５９により抽出された座標データに対応する位置差に基づいて演算する影響度演算手段６１を有し、表示手段４９は、影響度演算手段６１により演算された影響度を第２の具体的色イメージ設定手段６０により設定された具体的色イメージに対応させて表示することとしたので、指定された任意の位置における色の具体的色イメージを、第１の色３１ａ、第２の色３１ｂの具体的色イメージ３４ａ，３４ｂを用いて更に一層容易に把握することが可能となる。
【０１４６】
なお、本発明は上述した実施形態に限定されることなく各種の変形実施、応用実施が可能であることは勿論である。
例えば、上述した実施形態にあっては、線分Ｌは、赤色、黄色、緑色、青色のそれぞれと黒色との間隔ａと等間隔をもって、赤色、黄色、緑色、青色の位置から外側に間隔ａ離間した座標軸上の位置をそれぞれ通るように生成されることとしているが、相関する間隔であればよく、間隔ａよりも小さい間隔や大きい間隔、更には色ごとに異なる間隔とすることとしてもよい。
【産業上の利用可能性】
【０１４７】
本発明は、色をイメージの方向性と対応させて座標上に表示することができ、デザイン業界を始め、色を用いる各種の業界の発展に大きく貢献する。 
【符号の説明】
【０１４８】
ａ：間隔
Ｌ：線分
１，１´：色表示装置
２，２´：入力装置
３，３´：記憶装置（記憶手段）
４，４´：演算装置
５，５´：表示装置
３１ａ：第１の色
３１ｂ：第２の色
３１ｃ：第３の色
３２：イメージの方向性
３３ａ：第１の色の座標データ
３３ｂ：第２の色の座標データ
３３ｃ：第３の色の座標データ
３４ａ：第１の色の具体的色イメージ
３４ｂ：第２の色の具体的色イメージ
４１：第１の色設定手段
４２：第１の色座標データ設定手段
４３：第２の色設定手段
４４：方向性設定手段
４５：線分生成手段
４６：第２の色座標データ演算手段
４７：第１の具体的色イメージ設定手段
４９：表示手段
５０：第３の色設定手段
５１：第３の色座標データ設定手段
５３：位置指定手段
５４：指定位置座標データ演算手段
５５：第１の座標データ位置差演算手段
５６：第１の座標データ抽出手段
５７：指定位置色選択手段
５８：第２の座標データ位置差演算手段
５９：第２の座標データ抽出手段
６０：第２の具体的色イメージ設定手段
６１：影響度演算手段
７０：矢印
【図１】
2020095126.tif 000003
【図２】
2020095126.tif 000004
【図３】
2020095126.tif 000005
【図４】
2020095126.tif 000006
【図５】
2020095126.tif 000007
【図６】
2020095126.tif 000008
【図７】
2020095126.tif 000009
【図８】
2020095126.tif 000010
【図９】
2020095126.tif 000011
【図１０】
2020095126.tif 000012